(57)【要約】【課題】簡易な構成で蓄電装置の排熱を利用することができる蓄電装置の排熱利用システムを提供する。【解決手段】蓄電装置４０の排熱利用システム２００は、住宅１００で利用される電力を充放電可能な蓄電装置４０と、前記住宅１００の室内であるリビング１０９の床部２０５に収容される蓄熱材２１４・２１４・・・と、前記蓄電装置４０の排熱により暖められた空気を送風するファン２０２と、前記ファン２０２により送風された空気を前記床部２０５に通気させる中空部材２１３・２１３・・・と、を具備し、前記中空部材２１３・２１３・・・は前記中空部材２１３・２１３・・・を通気する空気を熱源として熱を蓄熱するものである。【選択図】図８
2014017068.tif 000002
【特許請求の範囲】
【請求項１】
建築物で利用される電力を充放電可能な蓄電装置と、
前記建築物の室内の床部に収容される床暖房蓄熱材と、
前記蓄電装置の排熱により暖められた空気を送風するファンと、
前記ファンにより送風された空気を前記床部に通気させる通気部と、
を具備し、
前記床暖房蓄熱材は前記通気部を通気する空気を熱源として熱を蓄熱する、
ことを特徴とする蓄電装置の排熱利用システム。
【請求項２】
前記ファンにより送風された空気を前記通気部を通過させずに排出可能な排出部と、
前記通気部及び前記排出部の開閉を切り替える開閉切替手段と、
をさらに具備し、
前記床暖房蓄熱材に熱を蓄熱させない場合には、前記開閉切替手段により前記通気部及び前記排出部の開閉を切り替えて、前記ファンにより送風された空気を前記排出部から排出させる、
ことを特徴とする請求項１に記載の蓄電装置の排熱利用システム。
【請求項３】
前記蓄電装置の排熱により暖められた空気の温度を検出する第一検出手段と、
前記室内又は前記室外の空気の温度を検出する第二検出手段と、
前記開閉切替手段による前記通気部及び前記排出部の開閉の切り替えを制御する制御手段と、
をさらに具備し、
前記制御手段は、前記第一検出手段及び前記第二検出手段により検出された検出結果に応じて、前記開閉切替手段による前記通気部及び前記排出部の開閉の切り替えを制御する、
ことを特徴とする請求項１又は請求項２に記載の蓄電装置の排熱利用システム。
【請求項４】
前記床暖房蓄熱材は、温水床暖房又は電気床暖房を構成する一部材である、
ことを特徴とする請求項１から請求項３までのいずれか一項に記載の蓄電装置の排熱利用システム。
【請求項５】
前記床部は、当該床部の床面に対して平行方向に延出される中空構造を有する中空部材を具備し、
前記通気部は、前記中空部材により形成される、
ことを特徴とする請求項１から請求項４までのいずれか一項に記載の蓄電装置の排熱利用システム。
【発明の詳細な説明】
【技術分野】
【０００１】
本発明は、蓄電装置の排熱を利用する蓄電装置の排熱利用システムの技術に関する。
【背景技術】
【０００２】
従来、建築物で利用される電力を充放電可能な蓄電装置は、電力を充放電する際に充放電効率の関係上排熱を放出するが、多くの場合に当該排熱は利用されることなく排出される。これに対して、蓄電装置の排熱を利用する技術は公知となっている。例えば、特許文献１に記載の如くである。
【０００３】
特許文献１に記載の技術において、蓄電装置には蓄熱材がバッテリの周囲を取り囲むように配置される。また、蓄熱材には熱媒が循環する熱媒循環パイプが巻き掛けられる。これによって、蓄電装置の排熱により蓄熱材に熱を蓄熱し、当該蓄熱した熱が放熱されることにより熱媒を加熱し、さらに当該加熱した熱媒を熱媒循環パイプに循環させて、蓄電装置の排熱を利用している。
【０００４】
しかしながら、特許文献１に記載の技術は、蓄熱材が蓄電装置のバッテリの周囲を取り囲むように配置されているため、蓄熱材がバッテリの熱を奪いすぎないように制御したり、蓄熱材に蓄熱される熱の蓄熱量を制御したり、蓄熱材に蓄積された熱の放熱量を制御したりする等、蓄電装置の排熱を利用するために複雑な制御（構成）が必要であるため不利であった。
【先行技術文献】
【特許文献】
【０００５】
【特許文献１】特開２００９−２６６５５６号公報
【発明の概要】
【発明が解決しようとする課題】
【０００６】
本発明は以上の如き状況に鑑みてなされたものであり、その解決しようとする課題は、簡易な構成で蓄電装置の排熱を利用することができる蓄電装置の排熱利用システムを提供することである。
【課題を解決するための手段】
【０００７】
本発明の解決しようとする課題は以上の如くであり、次にこの課題を解決するための手段を説明する。
【０００８】
即ち、請求項１においては、建築物で利用される電力を充放電可能な蓄電装置と、前記建築物の室内の床部に収容される床暖房蓄熱材と、前記蓄電装置の排熱により暖められた空気を送風するファンと、前記ファンにより送風された空気を前記床部に通気させる通気部と、を具備し、前記床暖房蓄熱材は前記通気部を通気する空気を熱源として熱を蓄熱するものである。
【０００９】
請求項２においては、前記ファンにより送風された空気を前記通気部を通過させずに排出可能な排出部と、前記通気部及び前記排出部の開閉を切り替える開閉切替手段と、をさらに具備し、前記床暖房蓄熱材に熱を蓄熱させない場合には、前記開閉切替手段により前記通気部及び前記排出部の開閉を切り替えて、前記ファンにより送風された空気を前記排出部から排出させるものである。
【００１０】
請求項３においては、前記蓄電装置の排熱により暖められた空気の温度を検出する第一検出手段と、前記室内又は前記室外の空気の温度を検出する第二検出手段と、前記開閉切替手段による前記通気部及び前記排出部の開閉の切り替えを制御する制御手段と、をさらに具備し、前記制御手段は、前記第一検出手段及び前記第二検出手段により検出された検出結果に応じて、前記開閉切替手段による前記通気部及び前記排出部の開閉の切り替えを制御するものである。
【００１１】
請求項４においては、前記床暖房蓄熱材は、温水床暖房又は電気床暖房を構成する一部材であるものである。
【００１２】
請求項５においては、前記床部は、当該床部の床面に対して平行方向に延出される中空構造を有する中空部材を具備し、前記通気部は、前記中空部材により形成されるものである。
【発明の効果】
【００１３】
本発明の効果として、以下に示すような効果を奏する。
【００１４】
請求項１においては、簡易な構成で蓄電装置の排熱を利用することができる。より詳細には、請求項１においては、簡易な構成で、蓄電装置の排熱を利用して床暖房を行うことができる。
【００１５】
請求項２においては、床暖房を行わない場合には、蓄電装置の排熱により暖められた空気を簡易な構成で適宜に排出し、蓄電装置の温度が高くなること防止することができる。
【００１６】
請求項３においては、居住者の操作に応じなくても、第一検出手段及び第二検出手段の検出結果、及び予め制御手段に設定した条件に応じて、蓄電装置の排熱を利用して床暖房を行うのか、又は床暖房を行うことなく蓄電装置の排熱により暖められた空気を排出するのかを簡易な構成で制御することができる。
【００１７】
請求項４においては、蓄電装置の排熱により暖められた空気を床暖房の補助的な熱源とすることで、温水床暖房（又は電気床暖房）を行う場合の、例えば電気料金（あるいはガス料金）等を抑制することができる。
【００１８】
請求項５においては、排気ダクト等の蓄電装置の排熱により暖められた空気の排出経路専用の部材を設ける必要がないので、設置コストの削減や、設置スペースの効率化等を図ることができる。
【図面の簡単な説明】
【００１９】
【図１】本発明の一実施形態に係る蓄電装置の排熱利用システムを具備する住宅の１階部分を示した平面図。
【図２】住宅が具備する電力供給システムを示したブロック図。
【図３】蓄電装置の排熱利用システムが設置された状態を示した側面断面模式図。
【図４】蓄電装置の排熱利用システムの構成を示したシステム図。
【図５】図４のＡ−Ａ矢視断面模式図。
【図６】（ａ）上部開閉機構及び下部開閉機構の構成を示した分解斜視図。（ｂ）上部開閉機構及び下部開閉機構が閉じている状態の構成を示した斜視図。（ｃ）上部開閉機構及び下部開閉機構が開いている状態の構成を示した斜視図。
【図７】蓄電装置の排熱利用システムが第一状態にある場合の構成を示した側面断面模式図。
【図８】蓄電装置の排熱利用システムが第二状態にある場合の構成を示した側面断面模式図。
【図９】図５において蓄電装置の排熱利用システムが第二状態にある場合の構成を示した模式図。
【図１０】蓄電装置の排熱利用システムが第三状態にある場合の構成を示した側面断面模式図。
【図１１】本発明の別実施形態に係る蓄電装置の排熱利用システムの構成を示したシステム図。
【図１２】図１１のＣ−Ｃ矢視断面模式図。
【発明を実施するための形態】
【００２０】
まず、図１を用いて、本発明の一実施形態に係る蓄電装置４０の排熱利用システム２００を具備する住宅１００（１階部分のみ）の全体構成について説明する。なお、本発明は住宅に適用されるものに限らず、オフィスビル、駅舎、ホテル等の種々の建築物に広く適用することが可能である。
【００２１】
住宅１００の１階には、玄関１０１、玄関ホール１０２、廊下１０３、トイレ１０４、折り返し階段１０５、階段下収納１０６、デッキ１０７、車庫１０８、及びリビング１０９が配置される。
【００２２】
住宅１００の北東部分には玄関１０１が配置され、当該玄関１０１の南西側には玄関ホール１０２が配置される。玄関ホール１０２の西側には、西方向に向かって廊下１０３が延設される。廊下１０３の北側には、東から西に向かって順にトイレ１０４及び折り返し階段１０５が住宅１００の外壁１００ａに沿うように配置される。廊下１０３の西側には、リビング１０９が配置される。また、折り返し階段１０５の下方には階段下収納１０６が配置される。
【００２３】
階段下収納１０６内には、蓄電装置収納室１１０が配置され、さらに当該蓄電装置収納室１１０内には、後述する蓄電装置４０が配置される。
【００２４】
廊下１０３の西側であってリビング１０９の南側（住宅１００の南西部分）には、デッキ１０７が配置される。デッキ１０７の東側（住宅１００の南東部分）には、車庫１０８が配置される。
【００２５】
次に、図２を用いて、住宅１００が具備する電力供給システム１について説明する。
【００２６】
電力供給システム１は、住宅１００に設けられ、商用電源９０からの電力及び自然エネルギーにより発電された電力を特定の負荷へと供給するものである。電力供給システム１は、主として発電部１０、パワーコンディショナ２０、分電盤３０、蓄電装置４０、負荷５０（特定の負荷）、その他の負荷８０、ホームサーバ６０及び携帯型端末７０等を具備する。
【００２７】
発電部１０は、太陽光を利用して発電する装置であり、太陽電池パネル等により構成される。発電部１０は、住宅１００の屋根の上に設置される（図３参照）。
【００２８】
パワーコンディショナ２０は、発電部１０において発電された直流電力を交流電力に変換し、商用電源９０の電圧、周波数、位相に合わせる機能を有するものである。パワーコンディショナ２０は、発電部１０に接続される。
パワーコンディショナ２０には、停電時（商用電源９０からの電力が供給不能な場合）における「自立運転モード」のＯＮとＯＦＦとを切り換えるための運転切換スイッチ２０ａが設けられる。
また、パワーコンディショナ２０には、停電時（非常時）において発電部１０からの電力を取り出すための非常用コンセント２１が接続される。
【００２９】
分電盤３０は、漏電遮断器、配線遮断器及び制御ユニット等をまとめたものである。分電盤３０は、パワーコンディショナ２０及び商用電源９０に接続される。
分電盤３０には、後述する蓄電装置４０が充電、放電及び情報（データ）のやり取りを行うための充放電用コンセント群３１（より詳細には、充放電用コンセント群３１のうち後述する充電用コンセント３２及びＬＡＮ用コンセント３３のみ）が接続される。
【００３０】
充放電用コンセント群３１は、充電用コンセント３２、ＬＡＮ用コンセント３３及び放電用コンセント３４を具備する。
【００３１】
蓄電装置４０は、電力を充電するとともに、当該充電した電力を放電するものである。本実施形態に係る蓄電装置４０は、電力を充放電可能なリチウムイオン電池及び当該リチウムイオン電池からの直流電力を交流電力に変換するインバータ等を具備する。
蓄電装置４０は、停電時（非常時）における充電用のケーブル４１を介して非常用コンセント２１に接続される。
また、蓄電装置４０は、通常時における充電用のケーブル４２を介して充放電用コンセント群３１の充電用コンセント３２に、放電用のケーブル４３を介して充放電用コンセント群３１の放電用コンセント３４に、それぞれ接続される。
また、蓄電装置４０は、ＬＡＮケーブル４４を介して充放電用コンセント群３１のＬＡＮ用コンセント３３に接続される。
【００３２】
負荷５０は、住宅内において電力が消費される電化製品等であり、特に、停電時（非常時）においても電力を供給する必要がある「特定の負荷」である。
本実施形態においては、負荷５０（特定の負荷）として、リビング１０９に設けられるリビングコンセント５１、冷蔵庫５２、及びリビング１０９に設けられるリビング照明５３を用いるものとする。また、リビングコンセント５１には、テレビ５１ａが接続されるものとする。
負荷５０は、それぞれ間接的に（本実施形態においては、充放電用コンセント群３１の放電用コンセント３４及び図示しない漏電遮断器等を介して）蓄電装置４０に接続される。
【００３３】
その他の負荷８０は、住宅１００内において電力が消費される電化製品等であり、前述の負荷５０（特定の負荷）とは異なり、停電時（非常時）においては電力を供給する必要がない（非常時に電力を供給する必要性が低い）負荷である。その他の負荷８０としては、例えば、リビング１０９以外に設けられるコンセントや照明等が挙げられる。
その他の負荷８０は、分電盤３０に接続される。
【００３４】
ホームサーバ６０は、電力供給システム１内の情報を管理する制御手段である。
ホームサーバ６０は、分電盤３０に接続される。ホームサーバ６０は、パワーコンディショナ２０及び蓄電装置４０等と情報のやり取りが可能とされ、当該パワーコンディショナ２０及び蓄電装置４０等の運転を制御することができる。
【００３５】
携帯型端末７０は、住宅の居住者が電力供給システム１の状態を確認したり、当該電力供給システム１の運転状態を変更するための操作をしたりするためのものである。携帯型端末７０としては、表示装置と入力装置を組み合わせたタッチパネル等を用いることができる。
携帯型端末７０は、無線によりホームサーバ６０と情報のやり取りをすることができる。
【００３６】
次に、図２を用いて、上述の如く構成された電力供給システム１において、商用電源９０からの電力が問題なく供給される場合の電力の供給態様について説明する。
【００３７】
通常、すなわち商用電源９０からの電力が問題なく供給可能な場合、パワーコンディショナ２０の運転切換スイッチ２０ａは居住者によってＯＦＦに切り換えられている。この場合、パワーコンディショナ２０の自立運転モードはＯＦＦとされ、当該パワーコンディショナ２０の非常用コンセント２１からの電力の取り出しはできない。
【００３８】
この状態においては、発電部１０において発電された直流電力は、パワーコンディショナ２０において交流電力に変換され、分電盤３０に供給される。また、商用電源９０からの交流電力も分電盤３０に供給される。
【００３９】
当該発電部１０及び商用電源９０から分電盤３０に供給された電力は、適宜の時間帯にケーブル４２を介して蓄電装置４０に充電される。当該充電する時間帯は、携帯型端末７０を用いて任意に設定することができる。例えば深夜に充電するように設定すれば、料金の安い深夜電力を蓄電装置４０に充電することができる。また、昼間の太陽光が十分に照射される時間帯に発電部１０からの電力を充電するように設定すれば、当該発電部１０において自然エネルギー（太陽光）を利用して発電された電力を蓄電装置４０に充電することができる。
なお、この場合（通常時）においては、発電部１０及び商用電源９０からの電力を蓄電装置４０に充電する際、同時に当該蓄電装置４０からその他の負荷８０へと電力が供給（放電）されることはない。このように、充電と放電とを同時に行わないようにすることによって、蓄電装置４０（より詳細には、当該蓄電装置４０内の蓄電池（リチウムイオン電池））の劣化を防止することができる。
【００４０】
また、発電部１０及び商用電源９０から分電盤３０に供給された電力は、その他の負荷８０に供給される。すなわち、居住者は、発電部１０及び商用電源９０からの電力によって、リビング１０９以外に設けられるコンセントに接続された機器を利用したり、リビング１０９以外の照明等を点灯させたりすることができる。
【００４１】
また、その他の負荷８０で消費する電力が、発電部１０からの電力だけで十分まかなえる場合は、商用電源９０からの電力を用いないようにすることも可能である。これによって、電力料金を節約することができる。
【００４２】
さらに、蓄電装置４０に充電された電力を、ケーブル４３を介して負荷５０に供給することも可能である。当該蓄電装置４０から負荷５０に電力を供給する時間帯は、携帯型端末７０を用いて任意に設定することができる。例えば深夜に充電した電力を昼間に負荷５０に供給するように設定することで、電力料金を節約することができる。
なお、通常時においては、蓄電装置４０から負荷５０に電力を供給（放電）する際、同時に発電部１０及び商用電源９０からの電力が蓄電装置４０に充電されることはない。このように、充電と放電とを同時に行わないようにすることによって、蓄電装置４０（より詳細には、当該蓄電装置４０内の蓄電池（リチウムイオン電池））の劣化を防止することができる。
【００４３】
上述の如く発電部１０、商用電源９０及び蓄電装置４０からの電力を適宜負荷５０及びその他の負荷８０に供給するための制御は、ホームサーバ６０に記憶された制御プログラムに基づいてなされる。
また、上述の如き電力の供給状態は携帯型端末７０の表示装置に表示され、居住者は当該携帯型端末７０により電力の供給状態を確認することができる。
【００４４】
次に、停電時（商用電源９０からの電力が供給不能な場合）における電力の供給態様について説明する。
【００４５】
停電時（非常時）においては、電力会社の電力復旧作業を妨げないように、商用電源９０から分電盤３０への電力系統及びパワーコンディショナ２０から分電盤３０への電力系統（分電盤３０を介する電力系統）に電力が流されることがない。従って、発電部１０および商用電源９０からの電力が分電盤３０を介して蓄電装置４０に充電されることはない。一方、蓄電装置４０に充電されている電力は、ケーブル４３を介して負荷５０に供給（放電）することが可能である。すなわち、停電した場合であっても、負荷５０のスイッチがＯＮにされた場合、蓄電装置４０に充電された電力を用いて負荷５０（テレビ５１ａ等）を使用することが可能である。
【００４６】
また、この停電時（非常時）においては、居住者は、パワーコンディショナ２０の運転切換スイッチ２０ａをＯＮに切り換える。これによって、パワーコンディショナ２０の自立運転モードがＯＮとされ、当該パワーコンディショナ２０の非常用コンセント２１からの電力の取り出しが可能となる。
但し、運転切換スイッチ２０ａは、分電盤３０において停電であることが検知された情報をパワーコンディショナ２０に送信し、自動的にＯＮに切り換えられるように構成することも可能である。
【００４７】
この状態においては、発電部１０において発電された電力は、パワーコンディショナ２０、非常用コンセント２１及びケーブル４１を介して蓄電装置４０に充電される。
【００４８】
また、蓄電装置４０が充電中であっても、負荷５０のスイッチがＯＮにされた場合、蓄電装置４０に充電された電力（通常時においてあらかじめ充電されていた電力及び非常時において発電部１０から供給された電力）は、ケーブル４３を介して負荷５０に供給される。なお、停電時において電力を供給するのは必要最低限の負荷（負荷５０）のみであり、その他の負荷８０には電力は供給されない。
【００４９】
上述の如く、停電時においては、発電部１０からの電力を蓄電装置４０に充電しながら、同時に当該蓄電装置４０の電力を負荷５０に供給することができる。このように、蓄電装置４０の電力を放電するだけでなく、並行して充電も行うことで、あらかじめ蓄電装置４０に充電された電力及び発電部１０において新たに発電された電力を効率良く負荷５０へ供給することができる。また、このように蓄電装置４０の充電と放電とを同時に行うことで当該蓄電装置４０（より詳細には、当該蓄電装置４０内の蓄電池（リチウムイオン電池））の劣化が懸念されるが、充電と放電とを同時に行うのは停電時（非常時）のみであるため、当該蓄電装置４０の劣化を最小限に抑えつつ、非常時には電力を効率良く負荷５０へと供給することができる。
【００５０】
次に、図３から図６を用いて、蓄電装置４０の排熱利用システム２００の構成について説明する。
【００５１】
蓄電装置４０の排熱利用システム２００は、蓄電装置４０の排熱を利用することができるシステムである。より詳細には、蓄電装置４０の排熱利用システム２００は、蓄電装置４０の排熱を利用して床暖房を行うためのシステムであり、本実施形態では、リビング１０９の床暖房を行うためのシステムである。蓄電装置４０の排熱利用システム２００は、蓄電装置４０の他に、主としてフード２０１と、ファン２０２と、第一温度センサ２０３と、第二温度センサ２０４と、床部２０５（より詳細には、床部２０５を構成する部材のうち、中空部材２１３・２１３・・・及び蓄熱材２１４・２１４・・・）と、上部開閉機構２０６と、下部開閉機構２０７と、排気口２０８と、制御装置２０９と、により構成される。
【００５２】
フード２０１は、蓄電装置４０の排熱を回収するためのものである。フード２０１は、内側に空間を有する概ね碗状であって、蓄電装置４０の排熱口（不図示）の周囲を外側から覆うように形成される。これによって、蓄電装置４０の排熱は、フード２０１内に排出される。そして、蓄電装置４０の排熱がフード２０１内に排出されると、当該フード２０１内の空気が当該蓄電装置４０の排熱により暖められることとなる。
【００５３】
ファン２０２は、駆動することにより、フード２０１内の空気を床部２０５内（後述する上流側開口部２２１）へと供給するものである。ファン２０２は、フード２０１内に配置される。
【００５４】
第一温度センサ２０３は、フード２０１内の温度を検出するものである。第一温度センサ２０３は、フード２０１内の側壁に固定される。
【００５５】
第二温度センサ２０４は、リビング１０９の温度を検出するものである。第二温度センサ２０４は、リビング１０９の側壁に固定される。
【００５６】
床部２０５は、住宅１００の室内の床を構成するものである。床部２０５は、上部床パネル２１１と下部床パネル２１２とを上下に重ね合わせて形成される。なお、本実施形態では、床部２０５は、一側が蓄電装置収納室１１０の床を構成し、他側がデッキ１０７の床の一部を構成し、当該一側と他側との間がリビング１０９の床を構成している。すなわち、床部２０５は、左右（前後）方向に延出され、各部屋に跨るように構成される。そして、リビング１０９の床を構成している床部２０５は、リビング１０９の床暖房を行うことができるように構成される。
【００５７】
下部床パネル２１２は、主として根太２１６・２１６・・・と、床材２１７と、断熱材２１８・２１８・・・と、により構成される。
【００５８】
根太２１６・２１６・・・は、床部２０５の下地となる複数本の木製の部材である。根太２１６・２１６・・・は、四角柱状に形成される。根太２１６・２１６・・・は、長手方向を前後方向（図３の紙面に対して直交する方向）として、左右方向に所定間隔をあけて並設される。根太２１６・２１６・・・は、大引き４０１の上に載置される。なお、大引き４０１は、基礎４０２から立設された床束４０３の上に載置されている。
【００５９】
床材２１７は、パーティクルボートや耐水性合板等からなる部材である。床材２１７は、平板状に形成される。床材２１７は、根太２１６・２１６・・・の上に載置され、当該根太２１６・２１６・・・に接着剤や釘等の固定具を用いて固定される。
【００６０】
断熱材２１８・２１８・・・は、室内外の熱の流入出を防止するものであり、グラスウールやウレタンフォーム等からなる部材である。断熱材２１８・２１８・・・は、床材２１７の下方であって、互いに隣接する根太２１６・２１６・・・の間に配置される。
【００６１】
上部床パネル２１１は、下部床パネル２１２の上に載置され、当該下部床パネル２１２に接着剤や釘等の固定具を用いて固定される。上部床パネル２１１は、主として中空部材２１３・２１３・・・と、フロア材２１５と、蓄熱材２１４・２１４・・・とにより構成される。
【００６２】
中空部材２１３・２１３・・・は、中空構造を有して四角柱状に形成された複数本の部材である。上部床パネル２１１は、中空構造を有する中空部材２１３・２１３・・・を当該上部床パネル２１１を構成する一部材とすることで、当該上部床パネル２１１の軽量化を図ることができる。
【００６３】
中空部材２１３・２１３・・・は、アルミや樹脂性等からなり、熱伝導性に優れ、且つ高い剛性を有する材料により形成される。中空部材２１３・２１３・・・は、長手方向を左右方向として、前後方向に所定間隔をあけて並設される。中空部材２１３・２１３・・・の中空構造は、床部２０５の床面に対して平行方向に延出される。より詳細には、中空部材２１３・２１３・・・の中空構造は、当該中空部材２１３・２１３・・・内に複数の空間が区画形成され、当該複数の空間がそれぞれ長手方向（左右方向）に延出されて形成される。このような構成により、中空部材２１３・２１３・・・は、先（左側）端部と後（右側）端部とが、前記複数の空間により連通するように形成される。
【００６４】
なお、本実施形態では、中空部材２１３・２１３・・・内の先端部と後端部との間を空気（より詳細には、蓄電装置４０の排熱により暖められた空気）が通過可能に形成される。そして、中空部材２１３・２１３・・・内を通過する空気は、蓄熱材２１４・２１４・・・に熱を蓄熱させるための熱源となる。また、中空部材２１３・２１３・・・内を通過する空気は、当該中空部材２１３・２１３・・・自体の温度を上昇させる。そして、温度が上昇した中空部材２１３・２１３・・・は、フロア材２１５を介してリビング１０９に熱を放熱し、リビング１０９の床暖房を行うこととなる。
【００６５】
フロア材２１５は、床部２０５の仕上げ面となるものであり、木質フロア材やカーペット等からなる部材である。フロア材２１５は、平板状に形成される。フロア材２１５は、中空部材２１３・２１３・・・の上に載置され、当該中空部材２１３・２１３・・・に接着剤等の固定具を用いて固定される。
【００６６】
蓄熱材２１４・２１４・・・は、熱を蓄熱すると共に当該蓄熱した熱を放熱するものであり、潜熱蓄熱材等からなる部材である。蓄熱材２１４・２１４・・・は、フロア材２１５の下方であって、互いに隣接する中空部材２１３・２１３・・・の間に配置される。蓄熱材２１４・２１４・・・は、中空部材２１３・２１３・・・と接触した状態で配置され、中空部材２１３・２１３・・・内を通過する空気（より詳細には、蓄電装置４０の排熱により暖められた空気）を熱源として熱交換を行うことができる。
【００６７】
なお、蓄熱材２１４・２１４・・・に蓄熱された熱は適宜に放熱される。すなわち、熱が蓄熱された蓄熱材２１４・２１４・・・は、フロア材２１５を介してリビング１０９に熱を放熱し、上述の如き中空部材２１３・２１３・・・と共に、リビング１０９の床暖房を行うことができる。このように、中空部材２１３・２１３・・・と共に、蓄熱材２１４・２１４・・・を用いて床暖房を行うことにより、（間欠的に放出される）蓄電装置４０の排熱により暖められた空気をそのまま暖房の空調に用いる場合と比べて、安定的な床暖房を行うことができる。
【００６８】
また、床部２０５には、上流側開口部２２１と、下流側開口部２２２と、が形成される。
【００６９】
上流側開口部２２１は、床部２０５のうち蓄電装置収納室１１０の床を構成する箇所に設けられる。より詳細には、上流側開口部２２１は、蓄電装置収納室１１０のうちフード２０１内に位置するように設けられる。上流側開口部２２１は、平面視で略矩形状であって、床部２０５を上下方向に貫通して形成される開口部である。すなわち、蓄電装置収納室１１０のフード２０１内と床部２０５の下方とは、上流側開口部２２１を介して連通するように構成される。なお、上流側開口部２２１には、上部開閉機構２０６と下部開閉機構２０７とが設置される。
【００７０】
下流側開口部２２２は、床部２０５のうちデッキ１０７の床の一部を構成する箇所に設けられる。下流側開口部２２２は、平面視で細長い略矩形状であって、床部２０５を構成する上部床パネル２１１と下部床パネル２１２とのうち、上部床パネル２１１のみを上下方向に貫通して形成される（下部床パネル２１２は上下方向に貫通されない）開口部である。なお、下流側開口部２２２には、排気口２０８が設置される。
【００７１】
このように、蓄電装置収納室１１０のフード２０１内は、上流側開口部２２１を介して２箇所、すなわち、床部２０５の下方、及び中空部材２１３・２１３・・・と下流側開口部２２２とを介してデッキ１０７と連通するように構成される。
【００７２】
上部開閉機構２０６とは、蓄電装置収納室１１０のフード２０１内と上流側開口部２２１との間を仕切ると共に、所定の場合にフード２０１内と上流側開口部２２１とを連通するものである。上部開閉機構２０６は、上流側開口部２２１の上部、より詳細には上下位置関係においてフロア材２１５と略同一位置となるように配置される。図６（ａ）に示すように、上部開閉機構２０６は、主として第一仕切板２３２と、第二仕切板２３１と、により構成される。
【００７３】
第一仕切板２３２及び第二仕切板２３１は、それぞれ板状の部材であり、断熱性の高い材料で形成される。第一仕切板２３２及び第二仕切板２３１には、それぞれ所定間隔おきに貫通口が形成される。上部開閉機構２０６は、第一仕切板２３２の上方から第二仕切板２３１が重ね合わされた状態で配置される。第二仕切板２３１は、第一仕切板２３２に対して相対的に摺動可能に構成される。当該第二仕切板２３１は、モータやエアシリンダ等の上部アクチュエータ２３３によって摺動させることが可能である。
【００７４】
図６（ｂ）に示すように、通常、第一仕切板２３２と第二仕切板２３１とが重ね合わされた状態においては、第一仕切板２３２及び第二仕切板２３１に形成された貫通口は平面視において重複しないため、当該上部開閉機構２０６（第一仕切板２３２及び第二仕切板２３１）によって蓄電装置収納室１１０のフード２０１内と上流側開口部２２１との間が仕切られる（上部開閉機構２０６が閉じられる）。
図６（ｃ）に示すように、上部アクチュエータ２３３を駆動させ、第二仕切板２３１を一方向に摺動させると、第一仕切板２３２の貫通口と第二仕切板２３１の貫通口とが平面視において重複し、蓄電装置収納室１１０のフード２０１内と上流側開口部２２１とが連通される（上部開閉機構２０６が開かれる）。
【００７５】
下部開閉機構２０７とは、上流側開口部２２１と床部２０５の下方との間を仕切ると共に、所定の場合に上流側開口部２２１と床部２０５の下方とを連通するものである。下部開閉機構２０７は、上流側開口部２２１の下部、より詳細には上下位置関係において床材２１７と略同一位置となるように配置される。図６（ａ）に示すように、下部開閉機構２０７は、上部開閉機構２０６と同一構成にて形成されるものであり、主として第一仕切板２３２と、第二仕切板２３１と、により構成される。
【００７６】
第一仕切板２３２及び第二仕切板２３１は、それぞれ板状の部材であり、断熱性の高い材料で形成される。第一仕切板２３２及び第二仕切板２３１には、それぞれ所定間隔おきに貫通口が形成される。下部開閉機構２０７は、第一仕切板２３２の上方から第二仕切板２３１が重ね合わされた状態で配置される。第二仕切板２３１は、第一仕切板２３２に対して相対的に摺動可能に構成される。当該第二仕切板２３１は、モータやエアシリンダ等の下部アクチュエータ２３４によって摺動させることが可能である。
【００７７】
図６（ｂ）に示すように、通常、第一仕切板２３２と第二仕切板２３１とが重ね合わされた状態においては、第一仕切板２３２及び第二仕切板２３１に形成された貫通口は平面視において重複しないため、当該下部開閉機構２０７（第一仕切板２３２及び第二仕切板２３１）によって上流側開口部２２１と床部２０５の下方との間が仕切られる（下部開閉機構２０７が閉じられる）。
図６（ｃ）に示すように、下部アクチュエータ２３４を駆動させ、第二仕切板２３１を一方向に摺動させると、第一仕切板２３２の貫通口と第二仕切板２３１の貫通口とが平面視において重複し、上流側開口部２２１と床部２０５の下方とが連通される（下部開閉機構２０７が開かれる）。
【００７８】
排気口２０８は、下流側開口部２２２とデッキ１０７との間を連通可能に仕切るものである。排気口２０８は、下流側開口部２２２の上部、より詳細には上下位置関係においてフロア材２１５と略同一位置となるように配置される。排気口２０８は、板状の部材からなり、所定間隔おきに貫通口が形成される。
【００７９】
制御装置２０９は、種々の情報に基づいて上部開閉機構２０６の上部アクチュエータ２３３や下部開閉機構２０７の下部アクチュエータ２３４等の駆動を制御するものである。制御装置２０９は、ＲＡＭやＲＯＭ等の記憶部、ＣＰＵ等の演算処理部等により構成される。
制御装置２０９は、上部開閉機構２０６の上部アクチュエータ２３３に接続され、当該上部アクチュエータ２３３の駆動を制御し、上部開閉機構２０６を開閉させることができる。
制御装置２０９は、下部開閉機構２０７の下部アクチュエータ２３４に接続され、当該下部アクチュエータ２３４の駆動を制御し、下部開閉機構２０７を開閉させることができる。
制御装置２０９は、ファン２０２に接続され、当該ファン２０２の駆動を制御することができる。
制御装置２０９は、第一温度センサ２０３に接続され、蓄電装置収納室１１０のフード２０１内の温度に関する情報を取得することができる。
制御装置２０９は、第二温度センサ２０４に接続され、リビング１０９の温度に関する情報を取得することができる。
【００８０】
次に、図７から図１０を用いて、蓄電装置４０の排熱利用システム２００の動作態様について説明する。
なお、図７から図１０に示す黒太矢印は、フード２０１内の空気の流れ、又はフード２０１内から排出された空気の流れを示している。また、図８に示す二点鎖線矢印は、フロア材２１５を介した熱の放熱、すなわち床暖房が行われている様子を示している。
蓄電装置４０の排熱利用システム２００は、以下に示すように３つの動作態様を有する。
【００８１】
まず、図７を用いて、排熱利用システム２００の１つ目の動作態様として、蓄電装置４０を駆動させず、蓄電装置４０の排熱を利用したリビング１０９の床暖房を行わない場合の動作態様について説明する。
【００８２】
以下では、上記動作態様における蓄電装置４０の排熱利用システム２００の状態を「第一状態」と称する。なお、この第一状態では、蓄電装置４０は駆動されていないため、当該蓄電装置４０は排熱を放出していない。
【００８３】
図７に示すように、第一状態においては、ファン２０２は駆動されない。また、上部開閉機構２０６の上部アクチュエータ２３３が駆動され、当該上部開閉機構２０６が閉じられる。また、下部開閉機構２０７の下部アクチュエータ２３４が駆動され、当該下部開閉機構２０７が閉じられる。
【００８４】
このように、第一状態においては、蓄電装置収納室１１０のフード２０１内と上流側開口部２２１との間が上部開閉機構２０６により仕切られ、蓄電装置収納室１１０のフード２０１内と上流側開口部２２１とが連通しないように構成される。また、上流側開口部２２１と床部２０５の下方との間が下部開閉機構２０７により仕切られ、上流側開口部２２１と床部２０５の下方とが連通しないように構成される。
【００８５】
したがって、第一状態においては、フード２０１内の空気は、当該フード２０１内に留まり、フード２０１外に排出されない。また、中空部材２１３・２１３・・・には、空気が通過しないように構成される。すなわち、中空部材２１３・２１３・・・の温度は上昇せず、さらに蓄熱材２１４・２１４・・・には熱が蓄熱されないため、リビング１０９の床暖房が行われない。
【００８６】
次に、図８及び図９を用いて、排熱利用システム２００の２つ目の動作態様として、蓄電装置４０を駆動させ、且つ蓄電装置４０の排熱を利用してリビング１０９の床暖房を行う場合の動作態様について説明する。
【００８７】
以下では、上記動作態様における蓄電装置４０の排熱利用システム２００の状態を「第二状態」と称する。なお、この第二状態では、蓄電装置４０は駆動されているため、当該蓄電装置４０の排熱はフード２０１内に排出される。
【００８８】
図８に示すように、第二状態においては、ファン２０２は駆動される。また、上部開閉機構２０６の上部アクチュエータ２３３が駆動され、当該上部開閉機構２０６が開けられる。また、下部開閉機構２０７の下部アクチュエータ２３４が駆動され、当該下部開閉機構２０７が閉じられる。
【００８９】
このように、第二状態においては、蓄電装置収納室１１０のフード２０１内と上流側開口部２２１との間が上部開閉機構２０６により連通するように構成される。また、上流側開口部２２１と床部２０５の下方との間が下部開閉機構２０７により仕切られ、上流側開口部２２１と床部２０５の下方とが連通しないように構成される。
【００９０】
したがって、第二状態においては、上部開閉機構２０６及び下部開閉機構２０７の態様により、上流側開口部２２１の下部が「閉」となり、中空部材２１３・２１３・・・が「開」となるように構成される。すなわち、フード２０１内の空気（より詳細には、蓄電装置４０の排熱により暖められた空気）は、ファン２０２の駆動により上部開閉機構２０６を介して上流側開口部２２１に流れる。そして、上流側開口部２２１に流れた空気は、上流側開口部２２１と床部２０５の下方とが連通していないため、中空部材２１３・２１３・・・内を通過して下流側開口部２２２に流れる。そして、下流側開口部２２２に流れた空気は、排気口２０８を介してデッキ１０７に排出される。
【００９１】
ここで、中空部材２１３・２１３・・・内を通過する空気は、フード２０１内で蓄電装置４０の排熱により暖められた空気である。したがって、当該空気は、中空部材２１３・２１３・・・自体の温度を上昇させる。また、当該空気と蓄熱材２１４・２１４・・・との間で熱交換が行われる。すなわち、蓄熱材２１４・２１４・・・に熱が蓄熱され、当該蓄積された熱が適宜に放熱される。これによって、中空部材２１３・２１３・・・及び蓄熱材２１４・２１４・・・は、フロア材２１５を介してリビング１０９に熱を放熱し、リビング１０９の床暖房を行うことができる。
【００９２】
なお、中空部材２１３・２１３・・・内を通過した空気は、下流側開口部２２２に流れ、排気口２０８を介してデッキ１０７に排出される。すなわち、中空部材２１３・２１３・・・は、蓄電装置４０の排熱により暖められた空気の排出経路と床暖房配管との機能を兼用している。すなわち、このような構成により、蓄電装置４０の排熱により暖められた空気の排出経路専用の部材（例えば、排気ダクト等）を設ける必要がないので、設置コストの削減や、設置スペースの効率化等を図ることができる。
【００９３】
なお、排熱利用システム２００の動作態様が第二状態となるための条件は、予め制御装置２０９に設定しても良く、又は居住者の操作に応じるものであっても良い。ここで、予め制御装置２０９に設定される条件の一例として、蓄電装置４０を駆動させていたが、リビング１０９の当初温度がフード２０１内の温度より高かったため蓄電装置４０の排熱を利用した床暖房を行っておらず（後述する第三状態としていたが）、その後にリビング１０９の温度がフード２０１内の温度よりも低くなったため、蓄電装置４０の排熱を利用して床暖房を開始する場合等が想定される。
【００９４】
次に、図１０を用いて、排熱利用システムの３つ目の動作態様として、蓄電装置４０を駆動させ、且つ蓄電装置４０の排熱を利用してリビング１０９の床暖房を行わない場合の動作態様について説明する。
【００９５】
以下では、上記動作態様における蓄電装置４０の排熱利用システム２００の状態を「第三状態」と称する。なお、この第三状態では、蓄電装置４０は駆動されているため、当該蓄電装置４０の排熱はフード２０１内に排出される。
【００９６】
図９に示すように、第三状態においては、ファン２０２は駆動される。また、上部開閉機構２０６の上部アクチュエータ２３３が駆動され、当該上部開閉機構２０６が開けられる。また、下部開閉機構２０７の下部アクチュエータ２３４が駆動され、当該下部開閉機構２０７が開けられる。
【００９７】
このように、第三状態においては、蓄電装置収納室１１０のフード２０１内と上流側開口部２２１との間が上部開閉機構２０６により連通するように構成される。また、上流側開口部２２１と床部２０５の下方との間が下部開閉機構２０７により連通するように構成される。
【００９８】
したがって、第三状態においては、フード２０１内の空気（より詳細には、蓄電装置４０の排熱により暖められた空気）は、ファン２０２の駆動により上部開閉機構２０６を介して上流側開口部２２１に流れる。そして、上流側開口部２２１に流れた空気は、上流側開口部２２１と床部２０５の下方とが連通しているため、下部開閉機構２０７を介して床部２０５の下方に流れる。すなわち、フード２０１内から上流側開口部２２１に流れた空気は、その流れ方向のまま床部２０５の下方へと流れるため、中空部材２１３・２１３・・・内を通過しない。換言すれば、上部開閉機構２０６及び下部開閉機構２０７の態様により、上流側開口部２２１の下部が「開」となり、中空部材２１３・２１３・・・が「閉」となるように構成される。その結果、中空部材２１３・２１３・・・の温度は上昇せず、さらに蓄熱材２１４・２１４・・・には熱が蓄熱されないため、リビング１０９の床暖房が行われないこととなる。
【００９９】
また、このような構成によって、蓄電装置４０の排熱を利用したリビング１０９の床暖房を行わない場合であっても、当該蓄電装置４０の排熱を蓄電装置収納室１１０（フード２０１内）から床部２０５の下方へと排出することができる。すなわち、蓄電装置４０の排熱により蓄電装置収納室１１０（フード２０１外）の空気が暖められ、ひいては蓄電装置４０の温度が高くなること防止することができる。
【０１００】
なお、排熱利用システム２００の動作態様が第三状態となるための条件は、予め制御装置２０９に設定しても良く、又は居住者の操作に応じるものであっても良い。ここで、予め制御装置２０９に設定される条件の一例として、蓄電装置４０を駆動させて第二状態としていたが、リビング１０９の温度がフード２０１内の温度よりも高くなったため、蓄電装置４０の排熱を利用した床暖房を停止する場合等が想定される。
【０１０１】
次に、図１１及び図１２を用いて、本発明の別実施形態に係る蓄電装置４０の排熱利用システム３００の構成について説明する。
なお、蓄電装置４０の排熱利用システム２００と同一の構成の箇所については、適宜にその説明を省略する。
【０１０２】
図１１及び図１２に示すように、蓄電装置４０の排熱利用システム３００が排熱利用システム２００と異なる構成の箇所は、当該排熱利用システム３００が蓄電装置４０の排熱により暖められた空気に加えて、他の熱源（本別実施形態では、温水）を利用して床暖房を行うことができる（温水床暖房を行うことができる）点である。蓄電装置４０の排熱利用システム３００は、排熱利用システム２００にて設けられた部材に加えて、熱源としての温水が流れる温水配管３０１と、駆動することにより温水を加熱する熱源機３０２と、熱源機３０２により加熱された温水を温水配管３０１に供給するポンプ３０３と、により構成される。
なお、図１１及び図１２では、温水配管３０１と熱源機３０２とポンプ３０３との配置はイメージ的に示しており、他部材との関係を厳密に示すものはない。
【０１０３】
温水配管３０１は、一側端部がポンプ３０３に連通接続され、中途部が適宜に曲折して形成され、他側端部が再びポンプ３０３に連通接続される。温水配管３０１の中途部は、中空構造に形成された中空部材２１３・２１３・・・（より詳細には、中空部材２１３・２１３・・・内に区画形成された複数の空間）に付設される。そして、温水配管３０１の中途部は、中空部材２１３・２１３・・・の先端部と後端部との間を往復するよう形成される。
【０１０４】
このような構成により、熱源機３０２により加熱された温水がポンプ３０３により温水配管３０１に供給されると、当該温水配管３０１を介して中空部材２１３・２１３・・・の温度を上昇させる。また、温水配管３０１を通過する温水と蓄熱材２１４・２１４・・・との間で中空部材２１３・２１３・・・を介して熱交換が行われる。すなわち、蓄熱材２１４・２１４・・・に熱が蓄熱され、当該蓄積された熱が適宜に放熱される。これによって、中空部材２１３・２１３・・・及び蓄熱材２１４・２１４・・・は、温水を熱源として、フロア材２１５を介してリビング１０９に熱を放熱し、リビング１０９の床暖房を行うことができる。
【０１０５】
このように、蓄電装置４０の排熱利用システム３００では、蓄電装置４０の排熱により暖められた空気に加えて、他の熱源（本別実施形態では、温水）を利用して床暖房を行うことができる（温水床暖房を行うことができる）。すなわち、蓄電装置４０の排熱利用システム３００では、床暖房の熱源として、蓄電装置４０の排熱により暖められた空気と、熱源機３０２により加熱された温水とを、選択することができる。したがって、通常時では温水床暖房のみを行い、そして（蓄電装置４０が駆動されて）蓄電装置４０の排熱を利用することができる場合には、温水床暖房と併せて蓄電装置４０の排熱を利用した床暖房を行うことができる。
【０１０６】
このような構成によって、例えば蓄電装置４０の排熱により暖められた空気を床暖房の補助的な熱源として、温水床暖房を行う場合の熱源機３０２の駆動を抑制し、ひいては熱源機３０２を駆動させるための電気料金（あるいはガス料金等）を抑制することができる。
なお、蓄電装置４０の排熱利用システム３００では、蓄電装置４０の排熱により暖められた空気に加えて、熱源機３０２により加熱された温水を熱源として床暖房を行う構成としているが、例えば電気等を熱源として床暖房を行う構成（電気床暖房）であっても良い。
【０１０７】
以上のように、蓄電装置４０の排熱利用システム２００は、
建築物（住宅１００）で利用される電力を充放電可能な蓄電装置４０と、
前記建築物の室内（リビング１０９）の床部２０５に収容される床暖房蓄熱材（蓄熱材２１４・２１４・・・）と、
前記蓄電装置の排熱により暖められた空気を送風するファン２０２と、
前記ファンにより送風された空気を前記床部に通気させる通気部と、
を具備し、
前記床暖房蓄熱材は前記通気部を通気する空気を熱源として熱を蓄熱する、
ことを特徴とするものである。
【０１０８】
このような構成により、蓄電装置４０の排熱利用システム２００は、簡易な構成で蓄電装置４０の排熱を利用することができる。より詳細には、蓄電装置４０の排熱利用システム２００は、従来技術のように蓄電装置４０の排熱を利用するために複雑な制御（構成）が必要ではなく、簡易な構成で、蓄電装置４０の排熱を利用して床暖房を行うことができる。
【０１０９】
また、蓄電装置４０の排熱利用システム２００は、
前記ファンにより送風された空気を前記通気部を通過させずに排出可能な排出部（上流側開口部２２１の下部）と、
前記通気部及び前記排出部の開閉を切り替える開閉切替手段（上部開閉機構２０６及び下部開閉機構２０７）と、
をさらに具備し、
前記床暖房蓄熱材に熱を蓄熱させない場合には、前記開閉切替手段により前記通気部及び前記排出部の開閉を切り替えて、前記ファンにより送風された空気を前記排出部から排出させる、
ことを特徴とするものである。
【０１１０】
このような構成により、蓄電装置４０の排熱利用システム２００は、床暖房を行わない場合には、蓄電装置４０の排熱により暖められた空気を簡易な構成で適宜に排出し、当該蓄電装置４０の温度が高くなること防止することができる。
【０１１１】
また、蓄電装置４０の排熱利用システム２００は、
前記蓄電装置の排熱により暖められた空気の温度を検出する第一検出手段（第一温度センサ２０３）と、
前記室内又は前記室外の空気の温度を検出する第二検出手段（第二温度センサ２０４）と、
前記開閉切替手段による前記通気部及び前記排出部の開閉の切り替えを制御する制御手段（制御装置２０９）と、
をさらに具備し、
前記制御手段は、前記第一検出手段及び前記第二検出手段により検出された検出結果に応じて、前記開閉切替手段による前記通気部及び前記排出部の開閉の切り替えを制御する、
ことを特徴とするものである。
【０１１２】
このような構成により、蓄電装置４０の排熱利用システム２００は、居住者の操作に応じなくても、第一温度センサ２０３及び第二温度センサ２０４の検出結果、及び予め制御装置２０９に設定した条件に応じて、蓄電装置４０の排熱を利用して床暖房を行うのか、又は床暖房を行うことなく蓄電装置４０の排熱により暖められた空気を排出するのかを簡易な構成で制御することができる。
【０１１３】
また、蓄電装置４０の排熱利用システム２００において、
前記床暖房蓄熱材は、温水床暖房又は電気床暖房を構成する一部材である、
ことを特徴とするものである。
【０１１４】
このような構成により、蓄電装置４０の排熱利用システム２００は、蓄電装置４０の排熱により暖められた空気を床暖房の補助的な熱源とすることで、温水床暖房（又は電気床暖房）を行う場合の熱源機３０２の駆動を抑制し、ひいては熱源機３０２を駆動させるための電気料金（あるいはガス料金等）を抑制することができる。
【０１１５】
また、蓄電装置４０の排熱利用システム２００において、
前記床部は、当該床部の床面に対して平行方向に延出される中空構造を有する中空部材（中空部材２１３・２１３・・・）を具備し、
前記通気部は、前記中空部材により形成される、
ことを特徴とするものである。
【０１１６】
このような構成により、蓄電装置４０の排熱利用システム２００は、排気ダクト等の蓄電装置４０の排熱により暖められた空気の排出経路専用の部材を設ける必要がないので、設置コストの削減や、設置スペースの効率化等を図ることができる。
【０１１７】
なお、本実施形態では、蓄電装置４０の排熱利用システム２００は、蓄電装置４０の排熱を利用してリビング１０９の床暖房を行う構成としたが、他の部屋の床暖房を行う構成であってもよい。
また、本実施形態では、排気口２０８をデッキ１０７に設ける構成としたが、排気口２０８を他の部屋に設ける構成や、又は住宅１００の外（屋外）に設ける構成であってもよい。
また、ファン２０２は、本発明に係る「ファン」の一実施形態であり、これに限定するものではない。本発明に係る「ファン」は、例えば蓄電装置４０の外に設ける構成ではなく、蓄電装置４０の内部に設けられる構成、すなわち蓄電装置４０の内部から当該蓄電装置４０の排熱を排熱口から排出させるものであってもよい。
また、第二温度センサ２０４は、本発明に係る「第二検出手段」の一実施形態であり、これに限定するものではない。本発明に係る「第二検出手段」は、リビング１０９ではなく、例えば住宅１００の外（屋外）の温度を検出する構成であってもよい。
また、上部開閉機構２０６及び下部開閉機構２０７は、本発明に係る「開閉切替手段」の一実施形態であり、これに限定するものではない。本発明に係る「開閉切替手段」は、例えばダンパーを切り替えることにより、上流側開口部２２１の下部及び中空部材２１３・２１３・・・の開閉を切り替える構成であってもよい。
また、中空部材２１３・２１３・・・は、本発明に係る「中空部材」の一実施形態であり、これに限定するものではない。したがって、中空部材２１３・２１３・・・内に区画形成された複数の空間は、その数や形状等を特に限定するものではない。
【符号の説明】
【０１１８】
４０      蓄電装置
１００    住宅
１０９    リビング
２００    排熱利用システム
２０２    ファン
２０５    床部
２０６    上部開閉機構
２０７    下部開閉機構
２１３    中空部材
２２１    上流側開口部
【図１】
2014017068.tif 000003
【図２】
2014017068.tif 000004
【図３】
2014017068.tif 000005
【図４】
2014017068.tif 000006
【図５】
2014017068.tif 000007
【図６】
2014017068.tif 000008
【図７】
2014017068.tif 000009
【図８】
2014017068.tif 000010
【図９】
2014017068.tif 000011
【図１０】
2014017068.tif 000012
【図１１】
2014017068.tif 000013
【図１２】
2014017068.tif 000014